(57)【要約】      （修正有）【課題】太陽光発電機と風力発電機を一体化し、更に流水力発電機を組み合せ、設置場所や設置状況に合わせて適性化する発電設備の提供。【解決手段】太陽光発電すると共に風をうけて回転する太陽光風力発電機と水中の流力をうけて回転発電する流水力発電機を配電設備と蓄電設備と変電設備を備えた。【選択図】図１−１
0003201538.tif 000002
【実用新案登録請求の範囲】
【考案の詳細な説明】
0003201538.tif 000003
0003201538.tif 000004
0003201538.tif 000005
0003201538.tif 000006
0003201538.tif 000007
0003201538.tif 000008
0003201538.tif 000009
0003201538.tif 000010
0003201538.tif 000011
0003201538.tif 000012
0003201538.tif 000013
0003201538.tif 000014
0003201538.tif 000015
0003201538.tif 000016
0003201538.tif 000017
0003201538.tif 000018
0003201538.tif 000019
0003201538.tif 000020
【手続補正書】
【提出日】平成27年1月9日(2015.1.9)
【手続補正１】
【補正対象書類名】実用新案登録請求の範囲
【補正対象項目名】全文
【補正方法】変更
【補正の内容】
【実用新案登録請求の範囲】
【請求項１】
０００１  本考案は自然エネルギー変換し取込む太陽光発電機風力発電機を風で受けて回転し、同調して回転発電機に一体化し発電するものに主として陸上に使用し、水中の流力を回転発電する能力を加へて水中では三者一体で同時に発電する機能を持つもので、之に応じた配電・蓄電・変電機能を付加して送電することが出来る一体化した発電設備である。
０００２  前記太陽光・風力・流水力発電機を単体として設置することで小電力を利用する需要を対象とし発電所と直結出来るもので、上記発電機を立地、需要に応じてその数量及び組合せを増やし、送電設備も延長して連結し、その数を増やせば、大電力の生産も可能となり、地域村、町、市と拡大出来、又その電力網が全国に利用出来る発電機構として利用出来るようになる
【請求項２】
０００３  前項に於ける機械の内容につき、それぞれ素材と之に基く数多くの検査・研究者により改良・改善されその性能向上による設置に関する便益や利点が生れ又配電・蓄電、変電等送電設備につき多くの研究がすゝみ上記の機械と共に、設備全体の改善が為され、全国地方の小電力対応よりも、設備の連携がすゝみ、両者相まって、自然エネルギー取込技術は、年を経る互に充実され、在来の電力システムとの相互依存が図られてその代替性が主体性を持つものとなる。
【手続補正２】
【補正対象書類名】明細書
【補正対象項目名】全文
【補正方法】変更
【補正の内容】
0003201538.tif 000021
0003201538.tif 000022
0003201538.tif 000023
0003201538.tif 000024
【手続補正３】
【補正対象書類名】図面
【補正対象項目名】全図
【補正方法】変更
【補正の内容】
【図１−１】
0003201538.tif 000025
【図１−２】
0003201538.tif 000026
【図２−１】
0003201538.tif 000027
【図２−２】
0003201538.tif 000028
0003201538.tif 000029
【図２−３】
0003201538.tif 000030
【図２−３】
0003201538.tif 000031
【図２−４】
0003201538.tif 000032
0003201538.tif 000033
【図２−５】
0003201538.tif 000034
【手続補正書】
【提出日】平成27年6月25日(2015.6.25)
【手続補正１】
【補正対象書類名】実用新案登録請求の範囲
【補正対象項目名】全文
【補正方法】変更
【補正の内容】
【実用新案登録請求の範囲】
【請求項１】
本考案は自然エネルギー変換して取込む太陽光発電機風力発電機を風で受けて回転し同調する発電機に一体化し発電するものに、主として陸上に使用し、水中の流力を回転発電する能力を加へて水中では三者一体で同時に発電する能力を持つもので、之に応した配電・蓄電・変電機能を付加して送電することが出来る一体化した発電設備である。
前記太陽光・風力・流水力発電機を単体で設置することで小電力を利用する需要を対象とし発電所として直結するもので、上記発電機を立地・需要に応じてその数量及組合せを増やし、送電設備を延長して連結し、その数を増やせば大電力の生産も可能となり、地域村町市と拡大出来、その電力網が全国に利用出来る発電機構として利用出来る。
【請求項２】
前項に於ける機械の内容につき、それぞれの素材と之に基く数多くの検査研究者による改良・改善されて、その性能向上による設備に関する便益や利点が生れ、又配電・蓄電・変電等送電設備につき多くの研究が進み上記機械と共に設備全体の改善がなされて、全国地方の小電力対応より更に設備の連携がすすみ、両者相まって自然エネルギー取込技術は、年を経る互に充実され、在来の電力システムとの相互依存が図られ、その代替性が主体性を持つ発電設備となる。
【手続補正２】
【補正対象書類名】明細書
【補正対象項目名】全文
【補正方法】変更
【補正の内容】
【考案の詳細な説明】
【技術分野】在来の太陽光発電機  風力発電機  流水力発電機を基礎とした技術の延長であることで、今迄に開発された発電機を向上させる研究・改良・改善で現在以上の発電力が単体で求められ、三者一体により効率の良い発電機が標準機として生れ、各機の構造形式の変化で立体化され多くの組合せにより、回転能・モータの性能、発電性能は著しく向上して、配電・蓄電・変電と送電設備も応分の技術もすすみ発電設備として安定したものとなる。
本考案は立体設備となることにより空間利用がすすみ、受光の能力と回転による発電力は平面のものより偏光性が無く、需要に直結した発電機として適当な風と太陽光が利用出来る所では、何処でも小電力として利用出来、単独の電力網を作ることにより需要される電力が送電設備を結ぶことにより適合した消費量に合わせることが出来、市、町村  全国を結ぶことにより大電力ともなる発電設備となる。
上記自然條件と共に在来よりも経済的に土地収容が少くても、空間まで設置の密度を高めることにより、平面設備に優り、収容発電力の増大で全ての投資効率を挙げることが出来、送電距離も在来の発電所より短縮することが出来るので、発電の単価を結果的に低減可能となる。
本考案は勿論、化石燃料、等天然の発掘される原料は将来に於ては不要となり環境問題を解決出来ることは勿論、電気を利用した水素の生産のエネルギー源ともなり、派生する水素  酸素  水と共に此の将来の主エネルギーとなる三つのエネルギーを構成する主体的エネルギー取込の発電設備ともなる。
設備の対象が陸上・水中でも過疎地でも設置が出来、在来発電システムとの結合・集積で便益が増え、合体された電力網は細かい網となることにより、新産業が何処にでも生れ国益を増進に功献する。
【本考案の概要】
自然エネルギーを取り込む発電設備の一つとして、太陽光発電機風力発電機、水中での流水力発電機を三者一体化して立体設備とし、その相関々係・構造・組合せで空間にも利用巾を広げ、単体のそれぞれの機械を研究開発により能率向上と効率化が図られ、発電力が増大されると共に付帯する配電・蓄電・変電機能と送電設備でも相応の能力を持つものが充実され発電設備として一体化することで総合設備となり、需要に直結する小発電設備から、送電設備の連結による発電網が全国の設備充実で補完的なものが将来主体性を持つ発電設備となるものである。
【考案が解決する課題】
本考案の主眼点は、在来の太陽光発電機風力発電機を一体化し、羽根型の風受けと、立体化のため回転機能が風力と同調する発電機の動力源とした。即前二者と共に水中の流力を電力化する流水力発電機とし付加し、主として陸上、空中では前者、海、河川では後者を加へた三者が一体とした発電機とすることが出来る。三者一体の発電機はそれそれの単体機の改良改善で能力がすすむと共に、本機に付随する配電機、蓄電機  変電機と、送電設備に別途備へられる付随設備夫々各発電機の能力に対応して容量が適宜決められ、発電設備としての一体化により、小電力との連結から設備・機械の増加により需要電力の供給が出来、余剰の電力は在来の電力システムに流す等、総需要電力量に組込まれて、補完する電力となる。
本考案の利用については、立体構造、回転力による風力取込のモータに連動し流水力同調も加はって一体化により生じた電気を又配電・蓄電・送電・変電と一体化した電気を消費先に送る設備が、太陽光・風力・流水力のある所では何処でも設備が設置出来ることである、太陽光発電としては回転能を持つことでより広く主体的に空中にも利用出来、平面の偏向性からも開放されて受光力も上り、陸・海・空に設備出来ることにより土地利用の容積が増え、狭い所でも機材の設置が出来、面積的にも、土地収容的にも有利で、日照・風力・流水力のある所での効果は在来の設備よりもより発揮することが出来る。
発電機と送電設備の一体化した発電設備は、消費需要先に近接する所で家庭・地域  村・町・市と機械の増加と設備の延長、在来設備との連携により大電力に関し、まかないうる電力設備とすることが可能となり、補完的なものから場合によっては、主電力となって全国の電力網を形成し、主体的電力ともなる設備とすることが出来る
在来の電力システムに代替する設備として、一般の利用出来る設備が増加するにつれて、次第に地球上から獲得している有限の資源である化石燃料や核燃料等天然の資源に依存しないことにより、無限の空気中に存する水素、酸素、水等の資源化がすすみ、人類社会功献は顕著となり、機材の設備費も生産される電気の消費から生ずる電力料金から段々と短期間に消却出来るようになるため、設備増が国の投資で積局的に行はれても有効な政策となりうる。
自然エネルギー取込の電力はＣＯ２の問題も解決出来るもので、環境問題も積局的に解決出来るし、吾が国に於ける化石燃料輸入も徐々に減って国益増進が図られる。
此の様に本考案が安定的エネルギー供給源となることにより、安価に電力が供給出来るようになれば、空気中の水素・酸素が主体的エネルギーとなり、それによる派生的な技術は例へば、海水の淡水化、砂漠の緑化、農業の工業化等人類に画期的な功献が生れ、そのための必要不可欠の電電設備となる。
又国内にも国外にも新産業の創設は社会的な諸問題も解決するものとなりましょう。
将来の新産業革命の起爆となる性質を有する。
【図面の簡単な説明】
【図１】本考案の基本となる発電機である太陽光発電機、風力発電機（主として陸上に設置するもの）の見取図を外見とし、左側に図示し、立面図に内部の発電機内蔵の構造を図示し、それに継がる蓄電機と配電機・変電機から消費先に送り、余剰電力を在来電力システムに送れる構造とした発電設備である  左篇下部は水中で水流力をエネルギー化し取込む装置で外見は陸上の回転羽根型で同調モータで発電する構造とした。立体円形回転型で陸上では太陽光受光と風力受けは羽根で自然力に対応出来る構造である
【図２】見取図の外側に設置している複数の回転体は［図１］の回転体を円形に取付け、その発電力を複数倍の力が得られるもので、更に外側に上記の複数の個数のものを取付け円形で電力量を倍加して取得出来る構造のものとする事が出来る事を示す図とした。之と共に集積した大型蓄電機から需要設備に配電し、余剰分は送電設備を通じて在来電力システムに組込めるものである。
【図３】本図は発電力増強の一例としての［図２］を更に外側に円形を増やし発電所としての機能が強力となる構造として図示したものである
【図４】本図はＡ）は本考案の施設と在来の自然力取込施設の電力団地とでも云へるもの  Ｂ）は家庭のスマートグリッドと本考案機の連携図である  Ｃ）は海浜・水中より蓄電機（集電）に送電しているもの  Ｄ）は農業ビニールハウスの電源としたもの  Ｅ）はＡ）団地拡大により将来本考案機システムの設置先である
【図５】上図は更に都市電力網に組込む需要対象に近接して団地数を増やせば需要電力が供給出来、下図は新電力圏と旧電力圏との連携の仕方の説明図である
【図６】本考案と旧電力システムの連携で全国電力網の将来図を示したものである。
【符号の説明】［▲１▼］    太陽光発電機からの電流▲−▼を▲＋▼に変電する変電器
併用している配電器  蓄電機▲２▼に送るもの
［▲２▼］    回転羽根型  縦式  太陽光発電機
［▲３▼］    １枚の羽根  太陽光光発電機と湾曲風力受羽根
［▲４▼］    タービン型  発電器
［▲５▼］    回転羽根型  縦式  水流発電機
［▲６▼］    蓄電機
［▲７▼］    送電設備（変電器・送電器を含む）
［▲８▼］    鉄塔
［▲９▼］    複合型  太陽光・風力発電機
［▲１０▼］  複合型  複々合型太陽光・風力発電機
［▲１１▼］  複合型  水流力発電機
［▲１２▼］  複々合型  水流力発電機
▲１３▼    複々々合型  太陽光・風力発電機
▲１４▼    複々々合型  水流力発電機
【手続補正３】
【補正対象書類名】図面
【補正対象項目名】全図
【補正方法】変更
【補正の内容】
【図１】
0003201538.tif 000035
【図２】
0003201538.tif 000036
【図３】
0003201538.tif 000037
【図４】
0003201538.tif 000038
【図５】
0003201538.tif 000039
【図６】
0003201538.tif 000040
【手続補正書】
【提出日】平成27年9月15日(2015.9.15)
【手続補正１】
【補正対象書類名】実用新案登録請求の範囲
【補正対象項目名】全文
【補正方法】変更
【補正の内容】
【実用新案登録請求の範囲】
【請求項１】
太陽光発電すると共に風をうけて回転する太陽光風力発電機と水中の流力をうけて回転発電する流水力発電機を配電設備と蓄電設備と変電設備を備へたことを特徴とする発電設備